(57)【要約】【課題】分流器の液側分流管に温度センサを取り付ける際の作業性を向上させる。【解決手段】室外ユニット（２）は、ケーシング（４０）と、熱交換器（１１）と、分流器（９０）と、温度センサ（２３）と、を有する。熱交換器（１１）は、ケーシング（４０）の前後方向に延びる第１部（１１ａ）の前端部（５０ａ１、５０ｂ１）に複数の液側口（７４）が上下方向に並んで形成されている。分流器（９０）は、前端部（５０ａ１、５０ｂ１）よりも前方向側に複数の分流孔（９５）が形成された分流器本体（９２）と、分流孔（９５）と液側口（７４）との間を接続する複数の液側分流管（９４）と、を有する。液側分流管（９４）の１つには、分流孔（９５）から液側口（７４）に至るまでの途中に、分流孔（９５）よりも前方向側に配置される前方延出部（９８Ａ１）が形成されており、温度センサ（２３）が、前方延出部（９８Ａ１）に取り付けられている。【選択図】図１２
2019184192.tif 000002
【特許請求の範囲】
【請求項１】
ケーシング（４０）と、
前記ケーシング内に配置されており、前記ケーシングの前後方向に延びる第１部（１１ａ）を有しており、前記第１部の前方向側の端部である第１前端部（５０ａ１、５０ｂ１）に冷媒の入口又は出口となる複数の液側口（７４）が上下方向に並んで形成されている、熱交換器（１１）と、
前記ケーシング内に配置されており、前記第１前端部よりも前方向側において前記液側口に対応する複数の分流孔（９５）が形成された分流器本体（９２）と、前記分流孔と前記液側口との間を接続する複数の液側分流管（９４）と、を有している、分流器（９０）と、
前記冷媒の温度を検出する温度センサ（２３）と、
を備えており、
前記液側口のうち前記第１前端部の下部に形成された液側口を第１液側口（７４Ａ）とし、かつ、前記液側分流管のうち前記第１液側口に接続された液側分流管を第１液側分流管（９４Ａ）とすると、前記第１液側分流管には、前記分流孔のうち前記第１液側分流管が接続された分流孔である第１分流孔（９５Ａ）から前記第１液側口に至るまでの途中に、前記第１分流孔よりも前方向側に配置される部分である前方延出部（９７Ａ２、９８Ａ１）が形成されており、
前記温度センサは、前記前方延出部に取り付けられている、
室外ユニット（２）。
【請求項２】
前記前方延出部は、前記分流器本体よりも前方向側に形成されている、
請求項１に記載の室外ユニット。
【請求項３】
前記第１分流孔は、前記ケーシングの平面視において、前記分流器本体の中央を通る中央線（Ｃ１）によって前記分流器本体を前後に区分した場合の前方向側の部分に形成されている、
請求項１又は２に記載の室外ユニット。
【請求項４】
前記ケーシング内に配置されており、冷媒連絡管（４、５）を介して室内ユニット（３ａ、３ｂ）と接続される場合に前記冷媒連絡管がロウ付けされる閉鎖弁（１３、１４）をさらに備えており、
前記閉鎖弁は、前記分流器本体の左右方向の一方側である第１側方側に配置されており、
前記前方延出部は、前記分流器本体よりも前記分流器本体の左右方向の他方側である第２側方側に配置されている、
請求項１〜３のいずれか１項に記載の室外ユニット。
【請求項５】
前記第１分流孔は、前記ケーシングの平面視において、前記分流器本体の中央を通る中央線（Ｃ２）によって前記分流器本体を左右に区分した場合の第２側方側の部分に形成されている、
請求項４に記載の室外ユニット。
【請求項６】
前記熱交換器の下端から上端までの高さを熱交高さ（ｈ）とすると、前記第１前端部の下部は、前記熱交換器の下端から前記熱交高さの１／４倍以下の部分である、
請求項１〜５のいずれか１項に記載の室外ユニット。
【請求項７】
前記分流器本体は、前記第１前端部の下部と同じ高さ範囲内に配置されている、
請求項６に記載の室外ユニット。
【請求項８】
前記第１液側口は、前記液側口のうち最も下方側に形成された液側口である、
請求項１〜７のいずれか１項に記載の室外ユニット。
【請求項９】
前記第１液側分流管は、
一端が前記第１分流孔に接続された第１液側分流細管（９７Ａ）と、
一端が前記第１液側分流細管の他端に接続され、かつ、他端が前記第１液側口に接続されており、前記第１液側分流細管よりも大径の第１液側分流太管（９８Ａ）と、
を有しており、
前記第１液側分流太管は、前記前方延出部を形成している、
請求項１〜８のいずれか１項に記載の室外ユニット。
【発明の詳細な説明】
【技術分野】
【０００１】
室外ユニット
【背景技術】
【０００２】
従来より、ケーシングと、ケーシング内に配置された熱交換器と、ケーシング内に配置された分流器と、を有する室外ユニットがある。そして、このような室外ユニットとして、特許文献１（特開２０１０−１６９３１１号公報）に示すように、熱交換器が、ケーシングの前後方向に延びる第１部を有しており、この第１部の前方向側の端部である第１前端部に、冷媒の入口又は出口となる複数の液側口が上下方向に並んで形成されているものがある。この室外ユニットでは、分流器が、第１前端部よりも前方向側において液側口に対応する複数の分流孔が形成された分流器本体と、分流孔と液側口との間を接続する複数の液側分流管と、を有している。
【発明の概要】
【発明が解決しようとする課題】
【０００３】
特許文献１の室外ユニットにおいては、冷媒の温度を検出する温度センサを熱交換器に設けることがある。この場合には、熱交換器の除霜運転の終了の検知を考慮して、第１前端部の下部に形成された液側口に接続された液側分流管に取り付けることが考えられる。
【０００４】
しかし、液側分流管に温度センサを取り付ける作業は、ケーシングの前面側から手作業で行われるため、第１前端部よりも前方側に配置されている分流器本体が邪魔になって液側分流管に手が届きにくく、作業性が良好とは言えない。
【課題を解決するための手段】
【０００５】
第１の観点にかかる室外ユニットは、ケーシングと、ケーシング内に配置された熱交換器と、ケーシング内に配置された分流器と、冷媒の温度を検出する温度センサと、を有している。ここで、熱交換器は、ケーシングの前後方向に延びる第１部を有しており、第１部の前方向側の端部である第１前端部に冷媒の入口又は出口となる複数の液側口が上下方向に並んで形成されている。また、分流器は、第１前端部よりも前方向側において液側口に対応する複数の分流孔が形成された分流器本体と、分流孔と液側口との間を接続する複数の液側分流管と、を有している。しかも、ここでは、第１液側分流管に、分流孔のうち第１液側分流管が接続された分流孔である第１分流孔から第１液側口に至るまでの途中に、第１分流孔よりも前方向側に配置される部分である前方延出部が形成されており、温度センサが、前方延出部に取り付けられている。ここで、第１液側口とは、液側口のうち第１前端部の下部に形成された液側口であり、第１液側分流管とは、液側分流管のうち第１液側口に接続された液側分流管である。
【０００６】
ここでは、第１液側分流管の温度センサが取り付けられる部分（前方延出部）が、分流器本体の第１分流孔よりも前方向側に配置されているため、ケーシングの前面側から第１液側分流管に温度センサを取り付ける際に、分流器本体が邪魔になりにくくなり、温度センサを第１液側分流管に取り付ける際の作業性を向上させることができる。
【０００７】
第２の観点にかかる室外ユニットは、第１の観点にかかる室外ユニットにおいて、前方延出部が、分流器本体よりも前方向側に形成されている。
【０００８】
ここでは、ケーシングの前面側から第１液側分流管に温度センサを取り付ける際に、分流器本体がさらに邪魔になりにくくなり、温度センサを第１液側分流管に取り付ける際の作業性をさらに向上させることができる。
【０００９】
第３の観点にかかる室外ユニットは、第１又は第２の観点にかかる室外ユニットにおいて、第１分流孔が、ケーシングの平面視において、分流器本体の中央を通る中央線によって分流器本体を前後に区分した場合の前方向側の部分に形成されている。
【００１０】
ここでは、ケーシングの前面側から第１液側分流管に温度センサを取り付ける際に、分流器本体がさらに邪魔になりにくくなり、温度センサを第１液側分流管に取り付ける際の作業性をさらに向上させることができる。
【００１１】
第４の観点にかかる室外ユニットは、第１〜第３の観点のいずれかにかかる室外ユニットにおいて、ケーシング内に配置されており、冷媒連絡管を介して室内ユニットと接続される場合に冷媒連絡管がロウ付けされる閉鎖弁をさらに有している。そして、ここでは、閉鎖弁が、分流器本体の左右方向の一方側である第１側方側に配置されており、前方延出部が、分流器本体よりも分流器本体の左右方向の他方側である第２側方側に配置されている。
【００１２】
ここでは、前方延出部を閉鎖弁から遠い側に配置することができるため、冷媒連絡管を閉鎖弁にロウ付けする際に、ロウ付け部を加熱するための火炎が温度センサまで影響することを抑えることができる。
【００１３】
第５の観点にかかる室外ユニットは、第４の観点のいずれかにかかる室外ユニットにおいて、第１分流孔が、ケーシングの平面視において、分流器本体の中央を通る中央線によって分流器本体を左右に区分した場合の第２側方側の部分に形成されている。
【００１４】
ここでは、冷媒連絡管を閉鎖弁にロウ付けする際に、ロウ付け部を加熱するための火炎が温度センサまで影響することをさらに抑えることができる。
【００１５】
第６の観点にかかる室外ユニットは、第１〜第５の観点のいずれかにかかる室外ユニットにおいて、熱交換器の下端から上端までの高さを熱交高さとすると、第１前端部の下部は、熱交換器の下端から熱交高さの１／４倍以下の部分である。
【００１６】
ここでは、第１前端部の下部が熱交換器の下端に非常に近いため、ケーシングの前面側から第１液側分流管に温度センサを取り付ける際の作業性が悪くなりやすい傾向にあるが、上記のように、前方延出部の配置を工夫しているため、温度センサを第１液側分流管に取り付ける際の作業性を向上させることができる。
【００１７】
第７の観点にかかる室外ユニットは、第６の観点にかかる室外ユニットにおいて、分流器本体が、第１前端部の下部と同じ高さ範囲内に配置されている。
【００１８】
ここでは、分流器本体も熱交換器の下端に非常に近いため、ケーシングの前面側から第１液側分流管に温度センサを取り付ける際に、分流器本体が邪魔になりやすい傾向にあるが、上記のように、前方延出部の配置を工夫しているため、温度センサを第１液側分流管に取り付ける際の作業性を向上させることができる。
【００１９】
第８の観点にかかる室外ユニットは、第１〜第７の観点のいずれかにかかる室外ユニットにおいて、第１液側口が、液側口のうち最も下方側に形成された液側口である。
【００２０】
ここでは、第１液側口が、最も下方側に形成されているため、ケーシングの前面側から第１液側分流管に温度センサを取り付ける際の作業性が悪くなりやすい傾向にあるが、上記のように、前方延出部の配置を工夫しているため、温度センサを第１液側分流管に取り付ける際の作業性を向上させることができる。
【００２１】
第９の観点にかかる室外ユニットは、第１〜第８の観点のいずれかにかかる室外ユニットにおいて、第１液側分流管が、第１液側分流細管と、第１液側分流細管よりも大径の第１液側分流太管と、を有している。ここで、第１液側分流細管は、一端が第１分流孔に接続されている。第１液側分流太管は、一端が第１液側分流細管の他端に接続され、かつ、他端が第１液側口に接続されている。そして、ここでは、第１液側分流太管が、前方延出部を形成している。
【００２２】
ここでは、径が大きい第１液側分流太管が前方延出部を形成しているため、温度センサを第１液側分流管に取り付ける際の作業性をさらに向上させることができる。
【図面の簡単な説明】
【００２３】
【図１】本開示の一実施形態にかかる室外ユニットが採用された空気調和装置の概略構成図である。
【図２】室外ユニットの概略の外観斜視図である。
【図３】室外ユニットの概略前面図である。
【図４】室外ユニットの概略平面図である。
【図５】ガス集合管及び分流器が接続された室外熱交換器の概略斜視図である。
【図６】室外熱交換器の熱交換部の部分拡大斜視図である。
【図７】室外熱交換器を風下側から見た概念的な構成図である。
【図８】室外熱交換器を風上側から見た概念的な構成図である。
【図９】熱交換パスにおける冷媒の流れを概念的に示す図であって、（ａ）は第１熱交換パスにおける冷媒の流れを、（ｂ）は第２〜第１１熱交換パスにおける冷媒の流れを、概念的に示す図である。
【図１０】ガス集合管及び分流器周辺の概略斜視図である。
【図１１】図１０の分流器の拡大斜視図である。
【図１２】図１１の分流器本体付近の拡大斜視図である。
【図１３】図１１の分流器本体付近を右側面側から見た図である。
【図１４】図１１の分流器本体付近を底面側から見た図である。
【図１５】図１３のＩ−Ｉ断面図である。
【図１６】図１１の分流器本体付近を前面側から見た図である。
【発明を実施するための形態】
【００２４】
以下、室外ユニットの実施形態について、図面に基づいて説明する。
【００２５】
（１）空気調和装置の全体構成
図１は、本開示の一実施形態にかかる室外ユニット２が採用された空気調和装置１の概略構成図である。
【００２６】
空気調和装置１は、蒸気圧縮式の冷凍サイクルを行うことによって、建物等の室内の冷房及び暖房を行うことが可能な装置である。空気調和装置１は、主として、室外ユニット２と、室内ユニット３ａ、３ｂと、室外ユニット２と室内ユニット３ａ、３ｂとを接続する液冷媒連絡管４及びガス冷媒連絡管５と、室外ユニット２及び室内ユニット３ａ、３ｂの構成機器を制御する制御部２４と、を有している。そして、空気調和装置１の蒸気圧縮式の冷媒回路６は、室外ユニット２と、室内ユニット３ａ、３ｂとが冷媒連絡管４、５を介して接続されることによって構成されている。
【００２７】
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、熱交換器としての室外熱交換器１１と、膨張機構としての室外膨張弁１２と、液側閉鎖弁１３と、ガス側閉鎖弁１４と、室外ファン１５と、を有している。各機器及び弁間は、冷媒管１６〜２２によって接続されている。また、室外熱交換器１１には、冷媒の温度を検出する温度センサ２３が設けられている。
【００２８】
室内ユニット３ａ、３ｂは、室内（居室や天井裏空間等）に設置されており、冷媒回路６の一部を構成している。室内ユニット３ａは、主として、室内膨張弁３１ａと、室内熱交換器３２ａと、室内ファン３３ａと、を有している。室内ユニット３ｂは、主として、膨張機構としての室内膨張弁３１ｂと、室内熱交換器３２ｂと、室内ファン３３ｂと、を有している。
【００２９】
冷媒連絡管４、５は、空気調和装置１を建物等の設置場所に設置する際に、現地にて施工される冷媒管である。液冷媒連絡管４の一端は、室内ユニット２の液側閉鎖弁１３に接続され、液冷媒連絡管４の他端は、室内ユニット３ａ、３ｂの室内膨張弁３１ａ、３１ｂの液側端に接続されている。ガス冷媒連絡管５の一端は、室内ユニット２のガス側閉鎖弁１４に接続され、ガス冷媒連絡管５の他端は、室内ユニット３ａ、３ｂの室内熱交換器３２ａ、３２ｂのガス側端に接続されている。
【００３０】
制御部２４は、室外ユニット２や室内ユニット３ａ、３ｂに設けられた制御基板等（図示せず）が通信接続されることによって構成されている。尚、図１においては、便宜上、室外ユニット２や室内ユニット３ａ、３ｂとは離れた位置に制御部２４を図示している。制御部２４は、温度センサ２３の検出値等に基づいて、空気調和装置１（ここでは、室外ユニット２や室内ユニット３ａ、３ｂ）の構成機器８、１０、１２、１５、３１ａ、３１ｂ、３３ａ、３３ｂの制御、すなわち、空気調和装置１全体の運転制御を行うようになっている。
【００３１】
（２）空気調和装置の動作
次に、図１を用いて、空気調和装置１の動作について説明する。空気調和装置１では、圧縮機８、室外熱交換器１１、室外膨張弁１２及び室内膨張弁３１ａ、３１ｂ、室内熱交換器３２ａ、３２ｂの順に冷媒を循環させる冷房運転と、圧縮機８、室内熱交換器３２ａ、３２ｂ、室内膨張弁３１ａ、３１ｂ及び室外膨張弁１２、室外熱交換器１１の順に冷媒を循環させる暖房運転と、が行われる。また、暖房運転時においては、室外熱交換器１１に付着した霜を融解させるための除霜運転が行われる。ここでは、除霜運転として、冷房運転時と同様に、圧縮機８、室外熱交換器１１、室外膨張弁１２及び室内膨張弁３１ａ、３１ｂ、室内熱交換器３２ａ、３２ｂの順に冷媒を循環させる逆サイクル除霜運転が行われる。尚、冷房運転、暖房運転及び除霜運転は、制御部２４によって行われる。
【００３２】
冷房運転時には、四路切換弁１０が室外放熱状態（図１の実線で示される状態）に切り換えられる。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。室外熱交換器１１において放熱した高圧の液冷媒は、室外膨張弁１２、液側閉鎖弁１３及び液冷媒連絡管４を通じて、室内膨張弁３１ａ、３１ｂに送られる。室内膨張弁３１ａ、３１ｂに送られた冷媒は、室内膨張弁３１ａ、３１ｂによって冷凍サイクルの低圧まで減圧されて、低圧の気液二相状態の冷媒になる。室内膨張弁３１ａ、３１ｂで減圧された低圧の気液二相状態の冷媒は、室内熱交換器３２ａ、３２ｂに送られる。室内熱交換器３２ａ、３２ｂに送られた低圧の気液二相状態の冷媒は、室内熱交換器３２ａ、３２ｂにおいて、室内ファン３３ａ、３３ｂによって加熱源として供給される室内空気と熱交換を行って蒸発する。これにより、室内空気は冷却され、その後に、室内に供給されることで室内の冷房が行われる。室内熱交換器３２ａ、３２ｂにおいて蒸発した低圧のガス冷媒は、ガス冷媒連絡管５、ガス側閉鎖弁１４、四路切換弁１０及びアキュムレータ７を通じて、再び、圧縮機８に吸入される。
【００３３】
暖房運転時には、四路切換弁１０が室外蒸発状態（図１の破線で示される状態）に切り換えられる。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４及びガス冷媒連絡管５を通じて、室内熱交換器３２ａ、３２ｂに送られる。室内熱交換器３２ａ、３２ｂに送られた高圧のガス冷媒は、室内熱交換器３２ａ、３２ｂにおいて、室内ファン３３ａ、３３ｂによって冷却源として供給される室内空気と熱交換を行って放熱して、高圧の液冷媒になる。これにより、室内空気は加熱され、その後に、室内に供給されることで室内の暖房が行われる。室内熱交換器３２ａ、３２ｂで放熱した高圧の液冷媒は、室内膨張弁３１ａ、３１ｂ、液冷媒連絡管４及び液側閉鎖弁１３を通じて、室外膨張弁１２に送られる。室外膨張弁１２に送られた冷媒は、室外膨張弁１２によって冷凍サイクルの低圧まで減圧されて、低圧の気液二相状態の冷媒になる。室外膨張弁１２で減圧された低圧の気液二相状態の冷媒は、室外熱交換器１１に送られる。室外熱交換器１１に送られた低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。室外熱交換器１１で蒸発した低圧の冷媒は、四路切換弁１０及びアキュムレータ７を通じて、再び、圧縮機８に吸入される。
【００３４】
上記の暖房運転時において、室外熱交換器１１における冷媒の温度（ここでは、温度センサ２３によって検出される冷媒の温度）が所定温度よりも低くなる等によって室外熱交換器１１における着霜が検知された場合、すなわち、室外熱交換器１１の除霜を開始する条件に達した場合には、室外熱交換器１１に付着した霜を融解させる除霜運転を行う。
【００３５】
除霜運転は、冷房運転時と同様に、四路切換弁２２を室外放熱状態（図１の実線で示される状態）に切り換えて室外熱交換器１１を冷媒の放熱器として機能させることによって行われる。これにより、室外熱交換器１１に付着した霜を融解させることができる。除霜運転は、除霜前における暖房運転の状態等を考慮して設定された除霜時間が経過するまで、又は、室外熱交換器１１における冷媒の温度（ここでは、温度センサ２３によって検出される冷媒の温度）が所定温度よりも高くなる等によって、室外熱交換器１１における除霜が完了したものと判定されるまで行われ、その後、暖房運転に復帰する。尚、除霜運転時の冷媒回路１０における冷媒の流れは、冷房運転と同様であるため、ここでは説明を省略する。
【００３６】
（３）室外ユニットの全体構成
次に、図２〜図４を用いて、室外ユニット２の全体構成について説明する。ここで、図２は、室外ユニット２の概略の外観斜視図である。図３は、室外ユニット２の概略前面図である。図４は、室外ユニット２の概略平面図（後述のファンモジュール４４を取り外した状態を図示）である。尚、図２〜図４においては、アキュムレータ７、圧縮機８、室外熱交換器１１及び閉鎖弁１３、１４以外の冷媒回路構成部品の図示を省略している。また、以下の説明では、方向や位置関係を説明するために、「上」、「下」、「左」、「右」、「前」、「後」といった表現を用いる場合があるが、これらの表現が示す方向は、特にことわりのない限り、図面中に示された矢印の方向に従うものとする。
【００３７】
室外ユニット２は、ケーシング４０の側面から空気を吸い込んでケーシング４０の天面から空気を吹き出す上吹き型の熱交換ユニットである。室外ユニット２は、主として、略直方体箱状のケーシング４０と、室外ファン１５と、冷媒回路６の一部を構成する冷媒回路構成部品と、温度センサ２３と、を有している。冷媒回路構成部品としては、アキュムレータ７、圧縮機８、四路切換弁１０、室外熱交換器１１、室外膨張弁１２、閉鎖弁１３、１４及び冷媒管１６〜２２等が含まれる。室外ファン１５、冷媒回路構成部品及び温度センサ２３は、ケーシング４０内に収容されている。温度センサ２３の配置等については後述する。
【００３８】
ケーシング４０は、主として、左右方向に延びる一対の据付脚４１上に架け渡される底フレーム４２と、底フレーム４２の角部から上下方向に延びる支柱４３と、支柱４３の上端に取り付けられるファンモジュール４４と、底フレーム４２からファンモジュール４４まで上下方向に延びる前面パネル４５及び左側面パネル４６と、を有している。ケーシング４０の側面（ここでは、背面、左右両側面及び前面）には、空気の吸込口４０ａ、４０ｂ、４０ｃ、４０ｄが形成され、ケーシング４０の天面には、空気の吹出口４０ｅが形成されている。
【００３９】
底フレーム４２は、ケーシング４０の底面を形成しており、底フレーム４２上には、アキュムレータ７、圧縮機８及び室外熱交換器１１等が設けられている。また、底フレーム４２は、冷房運転や除霜運転時に室外熱交換器１１において発生するドレン水を受けるドレンパンとして機能する。
【００４０】
室外熱交換器１１は、ケーシング４０の平面視において、ケーシング４０の左側面、背面、右側面及び前面に沿うように、略四角形状に形成されている。但し、ケーシング４０の前面の左部及び左側面の前部には、室外熱交換器１１が配置されておらず、室外熱交換器１１は、ケーシング４０の平面視において、一部（ここでは、ケーシング４０の前面の左部及び左側面の前部に沿う部分）が欠落した略四角形状に形成されている。ここで、室外熱交換器１１のうちケーシング４０の左側面に沿って前後方向に延びる部分は、第１部１１ａである。室外熱交換器１１のうち第１部１１ａの後方向側の端部からケーシング４０の背面に沿う方向に曲がる部分は、第２部１１ｂである。室外熱交換器１１のうち第２部１１ｂの後方向側の端部からケーシング４０の背面に沿って左右方向に延びる部分は、第３部１１ｃである。室外熱交換器１１のうち第３部１１ｃの右方向側の端部からケーシング４０の右側面に沿う方向に曲がる部分は、第４部１１ｄである。室外熱交換器１１のうち第２部１１ｂの後方向側の端部からケーシング４０の右側面に沿って前後方向に延びる部分は、第５部１１ｅである。室外熱交換器１１のうち第５部１１ｅの前方向側の端部からケーシング４０の前面に沿う方向に曲がる部分は、第６部１１ｆである。室外熱交換器１１のうち第６部１１ｆの前方向側の端部からケーシング４０の前面に沿って左右方向に延びる部分は、第７部１１ｇである。
【００４１】
閉鎖弁１３、１４は、ケーシング４０の前面の下部付近に設けられている。ここでは、閉鎖弁１３、１４は、ケーシング４０を前方向から見た際に、室外熱交換器１１の第１部１１ａと圧縮機８との左右方向間に設けられている。閉鎖弁１３、１４は、室外ユニット２が冷媒連絡管４、５を介して室内ユニット３ａ、３ｂに接続される場合に冷媒連絡管４、５の端部がロウ付けにより接合される。
【００４２】
室外熱交換器１１の上側には、ファンモジュール４４が設けられており、ケーシング４０の前面、背面及び左右両面の支柱４３よりも上側の部分と、ケーシング４０の天面と、を形成している。ここで、ファンモジュール４４は、上面及び下面が開口した略直方体形状の箱体に室外ファン１５が収容された集合体である。ファンモジュール４４の天面の開口は、吹出口４０ｅであり、吹出口４０ｅには、吹出グリル４７が設けられている。室外ファン１５は、ケーシング４０内において吹出口４０ｅに面して配置されており、空気を吸込口４０ａ、４０ｂ、４０ｃ、４０ｄからケーシング４０内に取り込んで吹出口４０ｅから排出させる送風機である。
【００４３】
前面パネル４５及び左側面パネル４６は、概ね、ケーシング４０の前面、背面及び左右両面のうち室外熱交換器１１が配置されない部分（ここでは、ケーシング４０の前面の左部及び左側面の前部）に沿うように配置されている。前面パネル４５は、ケーシング４０の前面の左部に沿って配置されており、ケーシング４０の前面のうち前面パネル４５の右側の部分が吸込口４０ｄを形成している。左側面パネル４６は、ケーシング４０の左側面の前部に沿って配置されており、ケーシング４０の左側面のうち前左側面パネル４６の後側の部分が吸込口４０ｂを形成している。室外ユニット２では、前面パネル４５を取り外すことによってケーシング４０内が見えるようになっている。
【００４４】
（４）室外熱交換器及び室外熱交換器に接続されるガス集合管及び分流器
次に、図１〜図１０を用いて、室外熱交換器１１及び室外熱交換器１１に接続されるガス集合管８５及び分流器９０について説明する。ここで、図５は、ガス集合管８５及び分流器９０が接続された室外熱交換器１１の概略斜視図である。図６は、室外熱交換器１１の熱交換部５０の部分拡大斜視図である。図７は、室外熱交換器１１を風下側から見た概念的な構成図である。図８は、室外熱交換器１１を風上側から見た概念的な構成図である。尚、図７及び図８は、室外熱交換器１１に形成される熱交換パス６０Ａ〜６０Ｋや、室外熱交換器１１における冷媒の流れを説明するための模式的な図面であり、室外熱交換器１１等の構造や形状を正確に示したものではない。例えば、図示の都合上、図７及び図８において、室外熱交換器１１は平面的に描画されている。また、図７及び図８では、分流器本体９２の上部側に液側分流管９４が下部側に液側主管９６が接続された状態で描画されている（実際には、図５のように、分流器本体９２の上部側に液側主管９６が下部側に液側分流管９４が接続される）。図９は、熱交換パス６０Ａ〜６０Ｋにおける冷媒の流れを概念的に示す図である。図９（ａ）は第１熱交換パス６０Ａにおける冷媒の流れを、図９（ｂ）は第２〜第１１熱交換パス６０Ｂ〜６０Ｋにおける冷媒の流れを、概念的に示す図である。尚、図７〜図９に示した冷媒の流れを示す矢印は、暖房運転時（室外熱交換器１１を冷媒の蒸発器として機能させる場合）の冷媒の流れ方向である。冷房運転時や除霜運転時には、図７〜図９に示した冷媒の流れを示す矢印とは反対向きに冷媒が流れる。図１０は、ガス集合管８５及び分流器９０周辺の概略斜視図である。
【００４５】
＜分流器＞
分流器９０は、暖房運転時に冷媒回路６を室外膨張弁１２から室外熱交換器１１へと流れる気液二相状態又は液状態の冷媒を、室外熱交換器１１において形成される複数の熱交換パス６０Ａ〜６０Ｋに分流させる機構である。熱交換パス６０Ａ〜６０Ｋについては後述する。また、分流器９０は、冷房運転時及び除霜運転時に、複数の熱交換パス６０Ａ〜６０Ｋを通って室外熱交換器１１から流出する液状態の冷媒を合流させる機構である。
【００４６】
分流器９０は、分流器本体９２と、複数（ここでは、１１本）の液側分流管９４と、液側主管９６と、を有している。１１本の液側分流管９４のそれぞれは、熱交換パス６０Ａ〜６０Ｋの１つに接続される。液側主管９６は、液冷媒管２０を介して室外膨張弁１２に接続される。以下の説明では、熱交換パス６０Ａ〜６０Ｋのそれぞれに接続される液側分流管９４を、液側分流管９４Ａ〜９４Ｋと呼び分ける場合がある。分流器本体９２、複数の液側分流管９４及び液側主管９６は、アルミニウム製又はアルミニウム合金製である。
【００４７】
分流器本体９２は、上部に接続された液側主管９６から流入する冷媒（室外膨張弁１２から室外熱交換器１１へと流れる気液二相状態又は液状態の冷媒）を、分流器本体９２の下部に接続された複数の液側分流管９４Ａ〜９４Ｋに分流させる機構である。分流器本体９２は、液側分流管９４を介して熱交換部５０に接続されている。熱交換部５０については後述する。分流器本体９２により複数の液側分流管９４Ａ〜９４Ｋに所定の割合で（例えば均等に）分配供給された冷媒は、室外熱交換器１１の複数の熱交換パス６０Ａ〜６０Ｋへと流入する。分流器本体９２は、分流器本体９２の下部に接続された液側分流管９４から流入する主に液状態の冷媒を合流させる機構である。分流器本体９２で合流した冷媒は、分流器本体９２の上部に接続された液側主管９６を介して室外膨張弁１２へと送られる。尚、ここでは、分流器本体９２の上部に液側主管９６が、下部に液側分流管９４が接続されている。しかし、これに限定されるものではなく、分流器９０の仕様によっては、分流器本体９２の取り付け姿勢は上下逆転してもよい。つまり、分流器本体９２は、分流器本体９２の上部に液側分流管９４が、下部に液側主管９６が接続されるような構造であってもよい。
【００４８】
複数の液側分流管９４のそれぞれの一端は、分流器本体９２の下部に接続されている。つまり、複数の液側分流管９４Ａ〜９４Ｋのそれぞれは、分流器本体９２の内部空間と連通している。また、複数の液側分流管９４Ａ〜９４Ｋのそれぞれの他端は、熱交換部５０を構成する風上側熱交換部５０ａの第１前端部５０ａ１側、又は、熱交換部５０を構成する風下側熱交換部５０ｂの第１前端部５０ｂ１側に接続されている。ここで、第１前端部５０ａ１、５０ｂ１は、室外熱交換器１１の第１部１１ａの前方向側の端部である。尚、風上側熱交換部５０ａの第１前端部５０ａ１は、後述する風上側熱交換部５０ａの扁平管５２の一端側の端部（第２前端部５０ａ２とは反対側の端部）であり、風下側熱交換部５０ｂの第１前端部５０ｂ１は、後述する風下側熱交換部５０ｂの扁平管５２の一端側の端部（第２前端部５０ｂ２とは反対側の端部）である。具体的には、液側分流管９４Ｂ〜９４Ｋは、風上側熱交換部５０ａの第１前端部５０ａ１側に配置される、後述する室外熱交換器１１の第１ヘッダ７０の液側口７４（７４Ｂ〜７４Ｋ）に接続されている。また、液側分流管９４Ａは、風下側熱交換部５０ｂの第１前端部５０ｂ１側に配置される、後述する室外熱交換器１１の第２ヘッダ８０の液側口７４（７４Ａ）に接続されている。接続方法を限定するものではないが、液側分流管９４と液側口７４とはロウ付けにより接続されている。尚、液側分流管９４には温度センサ２３が取り付けられているが、温度センサ２３の取り付け位置を含めた分流器９０及びその周辺の構成については後述する。
【００４９】
＜ガス集合管＞
ガス集合管８５は、暖房運転時に室外熱交換器１１から流出したガス冷媒を集合させる配管である。また、ガス集合管８５は、冷房運転時及び除霜運転時に圧縮機８から室外熱交換器１１へと送られるガス冷媒を、室外熱交換器１１の第２ヘッダ８０に分配供給する配管である。
【００５０】
ガス集合管８５は、一端側が閉じられ、他端側が第１ガス冷媒管１９の一部を構成する冷媒管８７に接続される。形状を限定するものではないが、ガス集合管８５は、閉じられた端部から上方に延び、上部で折り返すようにＵ字状に形成された配管である。ガス集合管８５と室外熱交換器１１の第２ヘッダ８０とは、複数の連絡配管８４により接続されている。尚、ガス集合管８５及び連絡配管８４は、アルミニウム製またはアルミニウム合金製である。また、接続方法を限定するものではないが、ガス集合管８５と連絡配管８４とはロウ付けにより接続されており、第２ヘッダ８０と連絡配管８４とは、ロウ付けにより接続されている。
【００５１】
＜室外熱交換器＞
室外熱交換器１１は、冷媒と室外空気との熱交換を行う熱交換器である。
【００５２】
室外熱交換器１１は、主として、複数列の（ここでは２列）の熱交換部５０（風上側熱交換部５０ａ及び風下側熱交換部５０ｂ）と、第１ヘッダ７０と、第２ヘッダ８０と、連結ヘッダ７５と、を有している。各熱交換部５０は、複数の扁平管５２と、複数のフィン５４を含む。ここでは、熱交換部５０、第１ヘッダ７０、第２ヘッダ８０、連結ヘッダ７５のすべてが、アルミニウム製またはアルミニウム合金製であり、互いにロウ付けによって接合されている。
【００５３】
第１ヘッダ７０は、上端及び下端が閉じた縦長中空の筒形状の部材である。第１ヘッダ７０は、室外熱交換器１１の風上側熱交換部５０ａの第１前端部５０ａ１側に立設されている。第１ヘッダ７０は、室外ユニット２の左前方部に配置されている。第１ヘッダ７０には、風上側熱交換部５０ａの各扁平管５２が接続され、第１ヘッダ７０の内部空間と風上側熱交換部５０ａの各扁平管５２とは連通している。また、第１ヘッダ７０には、複数の液側分流管９４（液側分流管９４Ｂ〜９４Ｋ）の他端が接続され、第１ヘッダ７０の内部空間と液側分流管９４（液側分流管９４Ｂ〜９４Ｋ）とは連通している。具体的には、液側分流管９４Ｂ〜９４Ｋの他端が第１ヘッダ７０の液側口７４（液側口７４Ｂ〜７４Ｋ）に接続されている。液側分流管９４（液側分流管９４Ｂ〜９４Ｋ）の第１ヘッダ７０と接続されない側の端部には、分流器９０の分流器本体９２に接続されている。接続方法を限定するものではないが、第１ヘッダ７０と、風上側熱交換部５０ａの扁平管５２及び液側分流管９４Ｂ〜９４Ｋとは、ロウ付けにより接合されている。
【００５４】
第２ヘッダ８０は、上端及び下端が閉じた縦長中空の筒形状の部材である。第２ヘッダ８０は、室外熱交換器１１の風下側熱交換部５０ｂの第１前端部５０ｂ１側に立設されている。第２ヘッダ８０は、室外ユニット２の左前方部に配置されている。第２ヘッダ８０は、第１ヘッダ７０よりも右方側（内側）かつ後方側に配置されている。第２ヘッダ８０には、風下側熱交換部５０ｂの各扁平管５２が接続され、第２ヘッダ８０の内部空間と風下側熱交換部５０ｂの各扁平管５２とは連通している。また、第２ヘッダ８０には、複数の連絡配管８４の一端と１本の液側分流管９４（液側分流管９４Ａ）の他端とが接続され、第２ヘッダ８０の内部空間と連絡配管８４及び液側分流管９４Ａとは連通している。具体的には、液側分流管９４Ａの他端が第２ヘッダ８０の液側口７４（液側口７４Ａ）に接続されている。連絡配管８４の第２ヘッダ８０と接続されない側の端部には、ガス集合管８５が接続されている。液側分流管９４Ａの第２ヘッダ８０と接続されない側の端部には、分流器９０の分流器本体９２に接続されている。接続方法を限定するものではないが、第２ヘッダ８０と、風下側熱交換部５０ｂの扁平管５２、液側分流管９４Ａ及び連絡配管８４とは、ロウ付けにより接合されている。
【００５５】
連結ヘッダ７５は、連結部の一例である。連結ヘッダ７５は、上端及び下端が閉じた縦長中空の筒形状の部材である。連結ヘッダ７５は、室外熱交換器１１の熱交換部５０の第２前端部側（風上側熱交換部５０ａの第２前端部５０ａ２側及び風下側熱交換部５０ｂの第２前端部５０ｂ２側）に立設されている。連結ヘッダ７５は、室外ユニット２の右前方部に配置されている。連結ヘッダ７５は、複数列の熱交換部５０（風上側熱交換部５０ａ及び風下側熱交換部５０ｂ）の第２前端部同士（風上側熱交換部５０ａの第２前端部５０ａ２及び風下側熱交換部５０ｂの第２前端部５０ｂ２）を連結する。接続方法を限定するものではないが、連結ヘッダ７５と、風上側熱交換部５０ａの扁平管５２及び風下側熱交換部５０ｂの扁平管５２とは、ロウ付けにより接合されている。
【００５６】
熱交換部５０は、複数列（ここででは２列）の熱交換部５０ａ、５０ｂを含む。複数列の熱交換部５０は、室外ファン１５によって生成される空気の流れ方向に並べて配置されている。具体的には、熱交換部５０は、風上側に配置される風上側熱交換部５０ａと、風下側に配置される風下側熱交換部５０ｂと、を含む。風上側熱交換部５０ａ及び風下側熱交換部５０ｂのそれぞれは、複数の扁平管５２と、複数のフィン５４と、を有する。
【００５７】
扁平管５２は、伝熱管の一例である。ここでは、扁平管５２は、伝熱面となる鉛直方向を向く平面部５２ａと、内部に形成された冷媒が流れる多数の小さな貫通孔からなる通路５２ｂと、を有する扁平多穴管である。
【００５８】
各熱交換部５０ａ、５０ｂの各扁平管５２は、熱交換部５０ａ、５０ｂの第２前端部５０ａ２、５０ｂ２側（連結ヘッダ７５側）から熱交換部５０ａ、５０ｂの第１前端部５０ａ１、５０ｂ１側（第１ヘッダ７０及び第２ヘッダ８０側）へと、（平面視において）延びる方向を変化させながら、略水平方向に延びる。具体的には、各熱交換部５０ａ、５０ｂの各扁平管５２は、熱交換部５０ａ、５０ｂの第２前端部５０ａ２、５０ｂ２から右方に延び、室外ユニット２の右前方角部近傍で延びる方向を変えて後方へと延び、室外ユニット２の右後方角部近傍で延びる方向を変えて左方へと延び、室外ユニット２の左後方角部近傍で延びる方向を変えて前方へと熱交換部５０ａ、５０ｂの第１前端部５０ａ１、５０ｂ１まで延びる。つまり、室外熱交換器１１は、複数列の熱交換部５０ａ、５０ｂの扁平管５２が延びる方向が変化している曲げ部１１ｂ、１１ｄ、１１ｆを、室外ユニット２の右前方角部近傍、右後方角部近傍及び左後方角部近傍の３ヶ所に有する。風上側熱交換部５０ａ及び風下側熱交換部５０ｂの扁平管５２は、熱交換部５０ａ、５０ｂの第１前端部５０ａ１、５０ｂ１では前後方向に延びる。
【００５９】
各熱交換部５０ａ、５０ｂでは、扁平管５２は、上下方向（段方向）に多段に配置されている。風上側熱交換部５０ａの各扁平管５２は、一端（風上側熱交換部５０ａの第１前端部５０ａ１側）が第１ヘッダ７０に接続されており、他端（風上側熱交換部５０ａの第２前端部５０ａ２側）が連結ヘッダ７５に接続されている。風下側熱交換部５０ｂの各扁平管５２は、一端（風下側熱交換部５０ｂの第１前端部５０ｂ１側）が第２ヘッダ８０に接続されており、他端（風下側熱交換部５０ｂの第２前端部５０ｂ２側）が連結ヘッダ７５に接続されている。
【００６０】
フィン５４は、上下方向（段方向）に隣り合う扁平管５２の間を、空気が流れる複数の通風路に区画している。フィン５４には、複数の扁平管５２を差し込めるように、水平に細長く延びる複数の切り欠き部５４ａが形成されている。言い換えれば、フィン５４は、扁平管５２に差し込まれる差し込み式のフィンである。切り欠き部５４ａは、水平方向であって、かつ扁平管５２の長手方向と交差する方向に延びるように形成される。切り欠き部５４ａの延びる方向は、室外ファン１５の生成する空気の流れ方向（通風方向）と略一致している。言い換えれば、切り欠き部５４ａの延びる方向は、熱交換部５０ａ、５０ｂの並べられた列方向と略一致している。切り欠き部５４ａは、扁平管５２が通風方向の風下側から風上側に向かって挿入されるように風下側に開口している。フィン５４の切り欠き部５４ａの上下方向の幅は、扁平管５２の上下方向の高さ（厚み）とほぼ一致している。フィン５４の切り欠き部５４ａは、上下方向（扁平管５２の段方向）に所定の間隔を空けて形成されている。
【００６１】
室外熱交換器１１は、扁平管５２の積層方向（上下方向）に多段（ここでは、１１段）に並ぶ複数の熱交換パス６０Ａ〜６０Ｋに区分されている。
【００６２】
例えば、ここでは、室外熱交換器１１には、下から上に向かって順に、最下段の熱交換パスである第１熱交換パス６０Ａ、第２熱交換パス６０Ｂ・・・第１０熱交換パス６０Ｊ、第１１熱交換パス６０Ｋが形成されている。
【００６３】
第１熱交換パス６０Ａは、２段２列の扁平管５２を有している。つまり、第１熱交換パス６０Ａは、風上側熱交換部５０ａの最下段及び下から２段目の扁平管５２と、風下側熱交換部５０ｂの最下段及び下から２段目の扁平管５２と、を有している。
【００６４】
尚、以下では、第１熱交換パス６０Ａの風上側熱交換部５０ａの扁平管５２を第１風上側扁平管６１Ａと呼び、第１熱交換パス６０Ａの風下側熱交換部５０ｂの扁平管５２を第１風下側扁平管６２Ａと呼ぶ。また、以下では、第１風上側扁平管６１Ａの１段目（下段）の扁平管５２を下段第１風上側扁平管６１Ａ１と呼び、第１風上側扁平管６１Ａの２段目（上段）の扁平管５２を上段第１風上側扁平管６１Ａ２と呼ぶ。また、第１風下側扁平管６２Ａの１段目（下段）の扁平管５２を下段第１風下側扁平管６２Ａ１と呼び、第１風下側扁平管６２Ａの２段目（上段）の扁平管５２を上段第１風下側扁平管６２Ａ２と呼ぶ。
【００６５】
第２熱交換パス６０Ｂは、１３段（下から３段目〜１５段目）２列（計２６本）の扁平管５２を有している。第３熱交換パス６０Ｃは、１３段（下から１６段目〜２８段目）２列（計２６本）の扁平管５２を有している。第４熱交換パス６０Ｄは、１２段（下から２９段目〜４０段目）２列（計２４本）の扁平管５２を有している。第５熱交換パス６０Ｅは、１２段（下から４１段目〜５２段目）２列（計２４本）の扁平管５２を有している。第６熱交換パス６０Ｆは、１１段（下から５３段目〜６３段目）２列（計２２本）の扁平管５２を有している。第７熱交換パス６０Ｇは、１０段（下から６４段目〜７３段目）２列（計２０本）の扁平管５２を有している。第８熱交換パス６０Ｈは、９段（下から７４段目〜８４段目）２列（計１８本）の扁平管５２を有している。第９熱交換パス６０Ｉは、８段（下から８３段目〜９０段目）２列（計１６本）の扁平管５２を有している。第１０熱交換パス６０Ｊは、４段（下から９１段目〜９４段目）２列（計８本）の扁平管５２を有している。第１１熱交換パス６０Ｋは、３段（下から９５段目〜９７段目）２列（計６本）の扁平管５２を有している。
【００６６】
以下では、第２熱交換パス６０Ｂの風上側熱交換部５０ａの扁平管５２を第２風上側扁平管６１Ｂと呼び、第２熱交換パス６０Ｂの風下側熱交換部５０ｂの扁平管５２を第２風下側扁平管６２Ｂと呼ぶ。同様に、第３熱交換パス６０Ｃ〜第１１熱交換パス６０Ｋの風上側熱交換部５０ａの扁平管５２を第３風上側扁平管６１Ｃ〜第１１風上側扁平管６１Ｋと呼ぶ。また、第３熱交換パス６０Ｃ〜第１１熱交換パス６０Ｋの風下側熱交換部５０ｂの扁平管５２を第３風下側扁平管６２Ｃ〜第１１風下側扁平管６２Ｋと呼ぶ。
【００６７】
尚、ここで示した熱交換パスの数や、各熱交換パスに含まれる扁平管５２の数や、室外熱交換器１１の熱交換部５０ａ、５０ｂが有する扁平管５２の総数は、例示に過ぎず、室外熱交換器１１の構造等を限定するものではない。
【００６８】
第１ヘッダ７０は、その内部空間が仕切部７１によって上下に仕切られることによって、各熱交換パス６０Ａ〜６０Ｋに対応する連通空間７２Ａ〜７２Ｋが形成されている。連通空間７２Ａ以外の連通空間７２Ｂ〜７２Ｋは、液側口７４Ｂ〜７４Ｋ及び液側分流管９４Ｂ〜９４Ｋを介して分流器本体９２と連通している。以下では、連通空間７２Ｂ〜７２Ｋを、液側出入口空間７２Ｂ〜７２Ｋと呼ぶ場合がある。また、以下では、連通空間７２Ａを、縦折り返し空間７２Ａと呼ぶ場合がある。
【００６９】
連通空間７２Ａは、第１熱交換パス６０Ａの下段第１風上側扁平管６１Ａ１及び上段第１風上側扁平管６１Ａ２と、風上側熱交換部５０ａの第２端部５０ａ２側で連通している。液側出入口空間７２Ｂは、第２熱交換パス６０Ｂの１３本の第２風上側扁平管６１Ｂと、風上側熱交換部５０ａの第２端部５０ａ２側で連通している。液側出入口空間７２Ｃは、第３熱交換パス６０Ｃの１３本の第３風上側扁平管６１Ｃと、風上側熱交換部５０ａの第１前端部５０ａ１側で連通している。液側出入口空間７２Ｄは、第４熱交換パス６０Ｄの１２本の第４風上側扁平管６１Ｄと、風上側熱交換部５０ａの第１前端部５０ａ１側で連通している。液側出入口空間７２Ｅは、第５熱交換パス６０Ｅの１２本の第５風上側扁平管６１Ｅと、風上側熱交換部５０ａの第１前端部５０ａ１側で連通している。液側出入口空間７２Ｆは、第６熱交換パス６０Ｆの１１本の第６風上側扁平管６１Ｆと、風上側熱交換部５０ａの第１前端部５０ａ１側で連通している。液側出入口空間７２Ｇは、第７熱交換パス６０Ｇの１０本の第７風上側扁平管６１Ｇと、風上側熱交換部５０ａの第１前端部５０ａ１側で連通している。液側出入口空間７２Ｈは、第８熱交換パス６０Ｈの９本の第８風上側扁平管６１Ｈと、風上側熱交換部５０ａの第１前端部５０ａ１側で連通している。液側出入口空間７２Ｉは、第９熱交換パス６０Ｉの８本の第９風上側扁平管６１Ｉと、風上側熱交換部５０ａの第１前端部５０ａ１側で連通している。液側出入口空間７２Ｊは、第１０熱交換パス６０Ｊの４本の第１０風上側扁平管６１Ｊと、風上側熱交換部５０ａの第１前端部５０ａ１側で連通している。液側出入口空間７２Ｋは、第１１熱交換パス６０Ｋの３本の第１１風上側扁平管６１Ｋと、風上側熱交換部５０ａの第１前端部５０ａ１側で連通している。
【００７０】
第２ヘッダ８０の内部空間は、その内部空間が仕切部８１によって上下に仕切られることによって、連通空間８２Ｕと連通空間８２Ｄとが形成されている。仕切部８１及びその周辺の構成については後述する。
【００７１】
連通空間８２Ｕは、熱交換パス６０Ｂ〜６０Ｋの風下側扁平管６２Ｂ〜６２Ｋ及び熱交換パス６０Ａの上段第１風下側扁平管６２Ａ２と、風下側熱交換部５０ｂの第１前端部５０ｂ１側で連通している。また、連通空間８２Ｕは、複数の連絡配管８４と連通している。以下では、連通空間８２Ｕをガス側出入口空間８２Ｕと呼ぶ場合がある。尚、連通空間８２Ｕは、単一空間（仕切られていない空間）でなくてもよく、仕切部によってさらに上下に仕切られてもよい。例えば、連通空間８２Ｕには、仕切部が配置され、それぞれが各熱交換パス６０Ａ〜６０Ｋに対応する複数の空間が形成されてもよい。
【００７２】
連通空間８２Ｄは、液側口７４Ａ及び液側分流管９４Ａを介して分流器本体９２と連通している。以下では、連通空間８２Ｄを、液側出入口空間８２Ｄと呼ぶ場合がある。
【００７３】
連結ヘッダ７５は、その内部空間が仕切部７７によって上下に仕切られている。仕切部７７は、熱交換部５０ａ、５０ｂの扁平管５２を段毎に区画している。連結ヘッダ７５の内部空間は、仕切部７７によって各熱交換パス６０Ａ〜６０Ｋに対応する折り返し空間７６Ａ〜７６Ｋが形成されている。折り返し空間７６Ａ〜７６Ｋは、対応する熱交換パス６０Ａ〜６０Ｋを構成する扁平管５２に連通している。
【００７４】
折り返し空間７６Ａでは、第１風上側扁平管６１Ａと第１風下側扁平管６２Ａとが、熱交換部５０ａ、５０ｂの第２前端部５０ａ２、５０ｂ２側で連通している。具体的に説明する。
【００７５】
折り返し空間７６Ａは、仕切部７７により上下２つの区画に分割されており、それぞれの区画には、同一の段の扁平管５２が連通している。つまり、下側の区画は、下段第１風上側扁平管６１Ａ１及び下段第１風下側扁平管６２Ａ１と連通し、上側の区画は、上段第１風上側扁平管６１Ａ２及び上段第１風下側扁平管６２Ａ２と連通する。
【００７６】
このように構成されることで、第１熱交換パス６０Ａでは、例えば暖房運転時には、以下のように冷媒が流れる。第２ヘッダ８０の液側出入口空間８２Ｄから下段第１風下側扁平管６２Ａ１に流入した冷媒は、折り返し空間７６Ａを経て下段第１風上側扁平管６１Ａ１に流入する。下段第１風上側扁平管６１Ａ１を第１ヘッダ７０まで流れた冷媒は、第１ヘッダ７０の縦折り返し空間７２Ａを介して上段第１風上側扁平管６１Ａ２に流入する。上段第１風上側扁平管６１Ａ２に流入した冷媒は、折り返し空間７６Ａを経て上段第１風下側扁平管６２Ａ２に流入し、上段第１風下側扁平管６２Ａ２から第２ヘッダ８０のガス側出入口空間８２Ｕに流入する。
【００７７】
折り返し空間７６Ｂでは、１３本の第２風上側扁平管６１Ｂと、１３本の第２風下側扁平管６２Ｂとが、熱交換部５０ａ、５０ｂの第２前端部５０ａ２、５０ｂ２側で連通している。折り返し空間７６Ｂは、仕切部７７により上下に１３個の区画に分割されており、それぞれの区画には、同一の段の扁平管５２が連通している。
【００７８】
折り返し空間７６Ｃ〜７６Ｋについても、それぞれ、第３風上側扁平管６１Ｃ〜第１１風上側扁平管６１Ｋと、第３風下側扁平管６２Ｃ〜第１１風下側扁平管６２Ｋとが、熱交換部５０ａ、５０ｂの第２前端部５０ａ２、５０ｂ２側で連通している。折り返し空間７６Ｃ〜７６Ｋは、仕切部７７により、それぞれの空間に連通する、第３風上側扁平管６１Ｃ〜第１１風上側扁平管６１Ｋの段数（第３風下側扁平管６２Ｃ〜第１１風下側扁平管６２Ｋの段数）と同数の区画に分割されている。それぞれの区画には、同一の段の扁平管５２が連通している。
【００７９】
このように構成されることで、第２熱交換パス６０Ｂ〜第１１熱交換パス６０Ｋでは、例えば暖房運転時には、以下のように冷媒が流れる。第１ヘッダ７０の液側出入口空間７２Ｂ〜７２Ｋのそれぞれから、風上側熱交換部５０ａの扁平管５２（第２風上側扁平管６１Ｂ〜第１１風上側扁平管６１Ｋ）のそれぞれに流入した冷媒は、折り返し空間７６Ｂ〜７６Ｋを経て、同一熱交換パスの同一段の風下側熱交換部５０ｂの扁平管５２（第２風下側扁平管６２Ｂ〜第１１風下側扁平管６２Ｋ）に流入する。第２風下側扁平管６２Ｂ〜第１１風下側扁平管６２Ｋを第２ヘッダ８０まで流れた冷媒は、第２ヘッダ８０のガス側出入口空間８２Ｕに流入する。
【００８０】
尚、ここでは、列方向に隣り合う同一段の扁平管５２同士（風上側熱交換部５０ａ及び風下側熱交換部５０ｂの同一段の扁平管５２同士）を、熱交換部５０ａ、５０ｂの第２前端部５０ａ２、５０ｂ２側で連通させるように仕切部７７が設けられている。しかし、このような態様に限定されるものではなく、例えば、同じ熱交換パス６０Ｂ〜６０Ｋ内では、列方向に隣り合う異なる段の扁平管５２同士を連通させるように仕切部７７の一部が省略されてもよい。
【００８１】
＜室外熱交換器及びその周りにおける冷媒の流れ＞
上記の構成を有する室外熱交換器１１及びその周りの冷媒の流れについて説明する。
【００８２】
暖房運転時には、室外熱交換器１１は、室外膨張弁１２において減圧された冷媒の蒸発器として機能する。暖房運転時には、図７〜図９における冷媒の流れを示す矢印の方向に冷媒が流れる。
【００８３】
室外膨張弁１２において減圧された冷媒は、液冷媒管２０を通じて分流器９０に送られる。分流器９０に送られた冷媒は、液側主管９６を通過して分流器本体９２に流入し、分流器本体９２から液側分流管９４Ａ〜９４Ｋに分流される。液側分流管９４Ａ〜９４Ｋを流れた冷媒は、液側口７４Ａ〜７４Ｋを通じて、第２ヘッダ８０の液側出入口空間８２Ｄ及び第１ヘッダ７０の液側出入口空間７２Ｂ〜７２Ｋに送られる。
【００８４】
各液側出入口空間７２Ｂ〜７２Ｋに送られた冷媒は、各熱交換パス６０Ｂ〜６０Ｋの風上側扁平管６１Ｂ〜６１Ｋに分流される。風上側扁平管６１Ｂ〜６１Ｋのそれぞれに送られた冷媒は、その通路５２ｂを流れる間に室外空気との熱交換によって加熱されて、連結ヘッダ７５の折り返し空間７６Ｂ〜７６Ｋを通じて、各熱交換パス６０Ｂ〜６０Ｋの風下側扁平管６２Ｂ〜６２Ｋに送られる。各扁平管５２（風下側扁平管６２Ｂ〜６２Ｋのそれぞれ）に送られた冷媒は、その通路５２ｂを流れる間に室外空気との熱交換によってさらに加熱されて、第２ヘッダ８０のガス側出入口空間８２Ｕにおいて合流する。すなわち、熱交換パス６０Ｂ〜６０Ｋでは、冷媒は、風上側扁平管６１Ｂ〜６１Ｋ、風下側扁平管６２Ｂ〜６２Ｋの順に、熱交換パス６０Ｂ〜６０Ｋを通過する。熱交換パス６０Ｂ〜６０Ｋでは、冷媒は、液状態又は気液二相状態から蒸発して飽和ガス状態又は過熱ガス状態になるまで加熱される。
【００８５】
一方、液側出入口空間８２Ｄに送られた冷媒は、下段第１風下側扁平管６２Ａ１に送られる。下段第１風下側扁平管６２Ａ１に送られた冷媒は、その通路５２ｂを流れる間に室外空気との熱交換によって加熱され、連結ヘッダ７５の下段側の折り返し空間７６Ａを通じて、下段第１風上側扁平管６１Ａ１に送られる。下段第１風上側扁平管６１Ａ１に送られた冷媒は、その通路５２ｂを流れる間に室外空気との熱交換によってさらに加熱され、第１ヘッダ７０の縦折り返し空間７２Ａを通じて、上段第１風上側扁平管６１Ａ２に送られる。上段第１風上側扁平管６１Ａ２に送られた冷媒は、その通路５２ｂを流れる間に室外空気との熱交換によってさらに加熱されて、連結ヘッダ７５の上段側の折り返し空間７６Ａを通じて、上段第１風下側扁平管６２Ａ２に送られる。上段第１風下側扁平管６２Ａ２に送られた冷媒は、その通路５２ｂを流れる間に室外空気との熱交換によってさらに加熱されて、第２ヘッダ８０のガス側出入口空間８２Ｕに送られる。すなわち、冷媒は、下段第１風下側扁平管６２Ａ１、下段第１風上側扁平管６１Ａ１、上段第１風上側扁平管６１Ａ２、上段第１風下側扁平管６２Ａ２の順に、第１熱交換パス６０Ａを通過する。第１熱交換パス６０Ａでは、冷媒は、液状態又は気液二相状態から蒸発して飽和ガス状態又は過熱ガス状態になるまで加熱される。
【００８６】
第２ヘッダ８０のガス側出入口空間８２Ｕに送られた冷媒は、ガス集合管８５に送られる。ガス集合管８５に流入した冷媒は、第１ガス冷媒管１９を通じて圧縮機８の吸入側に送られる。
【００８７】
冷房運転時には、室外熱交換器１１は、圧縮機８から吐出された冷媒の放熱器として機能する。冷房運転時には、図７〜図９における冷媒の流れを示す矢印とは反対の方向に冷媒が流れることになる。
【００８８】
圧縮機８から吐出された冷媒は、第１ガス冷媒管１９を通じてガス集合管８５に送られる。ガス集合管８５に流入した冷媒は、連絡配管８４に分流されて、第２ヘッダ８０のガス側出入口空間８２Ｕに送られる。
【００８９】
第２ヘッダ８０のガス側出入口空間８２Ｕに送られた冷媒は、熱交換パス６０Ａの上段第１風下側扁平管６２Ａ２と、熱交換パス６０Ｂ〜６０Ｋの風下側扁平管６２Ｂ〜６２Ｋに分流される。
【００９０】
各風下側扁平管６２Ｂ〜６２Ｋに送られた冷媒は、その通路５２ｂを流れる間に室外空気との熱交換によって放熱して、連結ヘッダ７５の折り返し空間７６Ｂ〜７６Ｋを通じて、それぞれ各熱交換パス６０Ｂ〜６０Ｋの風上側扁平管６１Ｂ〜６１Ｋに送られる。各風上側扁平管６１Ｂ〜６１Ｋに送られた冷媒は、その通路５２ｂを流れる間に室外空気との熱交換によってさらに放熱して、第１ヘッダ７０の各液側出入口空間７２Ｂ〜７２Ｋにおいて合流する。すなわち、冷媒は、熱交換パス６０Ｂ〜６０Ｋでは、風下側扁平管６２Ｂ〜６２Ｋ、風上側扁平管６１Ｂ〜６１Ｋの順に、熱交換パス６０Ｂ〜６０Ｋを通過する。熱交換パス６０Ｂ〜６０Ｋでは、冷媒は、過熱ガス状態から飽和液状態又は過冷却液状態になるまで放熱する。
【００９１】
上段第１風下側扁平管６２Ａ２に送られた冷媒は、その通路５２ｂを流れる間に室外空気との熱交換によって放熱し、連結ヘッダ７５の上段側の折り返し空間７６Ａを通じて、上段第１風上側扁平管６１Ａ２に送られる。上段第１風上側扁平管６１Ａ２に送られた冷媒は、その通路５２ｂを流れる間に室外空気との熱交換によってさらに放熱し、第１ヘッダ７０の縦折り返し空間７２Ａを通じて、下段第１風上側扁平管６１Ａ１に送られる。下段第１風上側扁平管６１Ａ１に送られた冷媒は、その通路５２ｂを流れる間に室外空気との熱交換によってさらに放熱して、連結ヘッダ７５の上側の折り返し空間７６Ａを通じて、下段第１風下側扁平管６２Ａ１に送られる。下段第１風下側扁平管６２Ａ１に送られた冷媒は、その通路５２ｂを流れる間に室外空気との熱交換によってさらに放熱して、第２ヘッダ８０の液側出入口空間８２Ｄに送られる。すなわち、冷媒は、上段第１風下側扁平管６２Ａ２、上段第１風上側扁平管６１Ａ２、下段第１風上側扁平管６１Ａ１、下段第１風下側扁平管６２Ａ１の順に、第１熱交換パス６０Ａを通過する。第１熱交換パス６０Ａでは、冷媒は、過熱ガス状態から飽和液状態又は過冷却液状態になるまで放熱する。
【００９２】
各液側出入口空間８２Ｄ、７２Ｂ〜７２Ｋに送られた冷媒は、液側口７４Ａ〜７４Ｋを通じて分流器９０の液側分流管９４Ａ〜９４Ｋに送られて、分流器本体９２において合流する。分流器本体９２において合流した冷媒は、液冷媒管２０を通じて室外膨張弁１２に送られる。
【００９３】
除霜運転時には、室外熱交換器１１は、冷房運転時と同様に、圧縮機８から吐出された冷媒の放熱器として機能する。尚、除霜運転時の室外熱交換器１１における冷媒の流れは、冷房運転時と同様であるため、ここでは説明を省略する。但し、冷房運転時とは異なり、除霜運転時は、冷媒が、主として、熱交換パス６０Ａ〜６０Ｋに付着した霜を融解させつつ放熱することになる。
【００９４】
尚、ここでは、上記のように、熱交換部５０の最下段の扁平管５２を含む最下段の第１熱交換パス６０Ａのパス有効長を、他の熱交換パス６０Ｂ〜６０Ｋのパス有効長よりも長くしている。その結果、第１熱交換パス６０Ａにおける冷媒の流れ抵抗は、他の熱交換パス６０Ｂ〜６０Ｋにおける冷媒の流れ抵抗より大きい。
【００９５】
このような室外熱交換器１１を、暖房運転と（逆サイクル）除霜運転とを切り換えて行う空気調和装置１に採用したことで、暖房運転時に第１熱交換パス６０Ａに液状態の冷媒が流入しにくくなり、最下段の熱交換パスを流れる冷媒の温度が上昇しやすくなる。そのため、暖房運転時に第１熱交換パス６０Ａにおける着霜を抑制することができる。しかも、ここでは、第１熱交換パス６０Ａのパス有効長が長くなることによって、第１熱交換パス６０Ａにおける伝熱面積を大きくすることができるため、第１熱交換パス６０Ａを流れる冷媒の温度の上昇を促進することができる。これにより、除霜運転時の第１熱交換パス６０Ａにおける融け残りを減少させることができる。
【００９６】
（５）温度センサの取り付け位置を含めた分流器及びその周辺の構成
次に、図１〜図１６を用いて、温度センサ２３の取り付け位置を含めた分流器９０及びその周辺の構成について説明する。ここで、図１１は、図１０の分流器９０の拡大斜視図である。図１２は、図１１の分流器本体９２付近の拡大斜視図である。図１３は、図１１の分流器本体９２付近を右側面側から見た図である。図１４は、図１１の分流器本体９２付近を底面側から見た図である。図１５は、図１３のＩ−Ｉ断面図である。図１６は、図１１の分流器本体９２付近を前面側から見た図である。
【００９７】
分流器９０は、上記のように、分流器本体９２と、複数（ここでは、１１本）の液側分流管９４Ａ〜９４Ｋと、液側主管９６と、を有している。ケーシング４０の前面視において、分流器本体９２の左右方向の一方側である第１側方側（ここでは、分流器９０の右方向側）には、閉鎖弁１３、１４（ここでは、閉鎖弁１３、１４のうち分流器９０に近い側の１つだけを図示）が配置されている。
【００９８】
分流器本体９２は、室外熱交換器１１の第１前端部５０ａ１、５０ｂ１よりも前方向側に配置されている。分流器本体９２は、第１前端部５０ａ１、５０ｂ１の下部と同じ高さ範囲内に配置されている。ここで、室外熱交換器１１の下端から上端までの高さを熱交高さｈとすると、第１前端部５０ａ１、５０ｂ１の下部とは、室外熱交換器１１の下端から熱交高さｈの１／４倍（＝１／４ｈ）以下の部分である。
【００９９】
液側主管９６は、その一端が分流器本体９２の上部中央に接続されており、他端が液冷媒管２０を介して室外膨張弁１２に接続される。液側主管９６は、一端から他端の間で湾曲しており、略Ｊ字状又は略Ｕ字状をなしている。
【０１００】
第１前端部５０ａ１、５０ａ２（ここでは、ヘッダ７０、８０）には、上記のように、上下方向に並んで形成された冷媒の入口又は出口となる液側口７４（７４Ａ〜７４Ｋ）が形成されている。具体的には、第１前端部５０ａ１（ここでは、第１ヘッダ７０）には、下側から順に第２〜第１１液側口７４Ｂ〜７４Ｋが形成されており、第２前端部５０ｂ１（ここでは、第２ヘッダ８０）には、第１液側口７４Ａが形成されている。第１〜第３液側口７４Ａ〜７４Ｃは、液側口７４のうち第１前端部５０ａ１、５０ｂ１の下部に形成されている。第１液側口７４Ａは、第２液側口７４Ｂよりも下方側に配置されている。すなわち、第１液側口７４Ａは、液側口７４のうち最も下方側に形成された液側口である。
【０１０１】
分流器本体９２には、液側口７４に対応する複数（ここでは、１１個）の分流孔９５が形成されている。１１本の液側分流管９４のそれぞれは、液側口７４の１つに接続される。すなわち、複数（ここでは、１１本）の液側分流管９４（第１〜第１１液側分流管９４Ａ〜９４Ｋ）のそれぞれは、分流孔９５（第１〜第１１分流孔９５Ａ〜９５Ｋ）と液側口７４（７４Ａ〜７４Ｋ）との間を接続している。ここで、第１分流孔９５Ａは、ケーシング４０の平面視において、分流器本体７２の中央を通る中央線Ｃ１によって分流器本体９２を前後に区分した場合の前方向側（ここでは、前面又は前面パネル４５側）の部分に形成されている。また、第１分流孔９５Ａは、ケーシング４０の平面視において、分流器本体９２の中央を通る中央線Ｃ２によって分流器本体９２を左右に区分した場合の第２側方側（ここでは、左側面又は左側面パネル４６側）の部分に形成されている。ここで、第２側方側とは、分流器本体９２の左右方向の他方側、すなわち、第１側方側とは反対側を意味する。すなわち、第１分流孔９５Ａは、分流器本体９２の下部のうち左前部に形成されている。第６分流孔９５Ｆも、分流器本体９２の下部のうち左前部に形成されている。第４及び第５分流孔９５Ｄ、９５Ｅは、分流器本体９２の下部のうち左後部（中央線Ｃ１よりも後方向側、かつ、中央線Ｃ２よりも左側方側の部分）に形成されている。第７及び第８分流孔９５Ｇ、９５Ｈは、分流器本体９２の下部のうち右後部（中央線Ｃ１よりも後方向側、かつ、中央線Ｃ２よりも右側方側の部分）に形成されている。第９及び第１１分流孔９５Ｉ、９５Ｋは、分流器本体９２の下部のうち右前部（中央線Ｃ１よりも前方向側、かつ、中央線Ｃ２よりも右側方側の部分）に形成されている。第２分流孔９５Ｂは、分流器本体９２の下部のうち前中央部（中央線Ｃ１よりも前方向側、かつ、中央線Ｃ２上の部分）に形成されている。第３分流孔９５Ｃは、分流器本体９２の下部のうち後中央部（中央線Ｃ１よりも後方向側、かつ、中央線Ｃ２上の部分）に形成されている。第１０分流孔９５Ｊは、分流器本体９２の下部のうち中央右部（中央線Ｃ１上、かつ、中央線Ｃ２よりも右側方側の部分）に形成されている。
【０１０２】
複数（ここでは、１１本）の液側分流管９４（９４Ａ〜９４Ｋ）は、液側分流細管９７（９７Ａ〜９７Ｋ）と、液側分流細管９７（９７Ａ〜９７Ｋ）よりも大径の液側分流太管９８（９８Ａ〜９８Ｋ）と、を有している。ここで、液側分流細管９７（９７Ａ〜９７Ｋ）の径をｄ１とし、液側分流太管９８（９８Ａ〜９８Ｋ）の径をｄ２とする。そして、液側分流細管９７（９７Ａ〜９７Ｋ）は、その一端が分流孔９５（９５Ａ〜９５Ｋ）に接続されており、他端が液側分流太管９８（９８Ａ〜９８Ｋ）の一端に接続されている。液側分流太管９８（９８Ａ〜９８Ｋ）の他端は、液側口７４（７４Ａ〜７４Ｋ）に接続されている。
【０１０３】
そして、ここでは、第１液側口７４Ａに接続された第１液側分流管９４Ａに、第１分流孔９５Ａから第１液側口７４Ａに至るまでの途中に、第１分流孔９５Ａよりも前方向側に配置される部分である前方延出部９７Ａ２、９８Ａ１が形成されている。
【０１０４】
具体的には、第１液側分流管９４Ａを構成する第１液側分流細管９７Ａは、第１細管部９７Ａ１と、細管側前方延出部９７Ａ２と、を有している。第１細管部９７Ａ１は、その一端が第１分流孔９５Ａに接続され、第１分流孔９５Ａから前方向側に延びる部分である。また、第１細管部９７Ａ１は、前方向側に延びるだけでなく、第２側方側（ここでは、左方向側）にも延びている。また、第１細管部９７Ａ１は、前方向側や左方向側に延びる途中で、コイル状に一巻きしている。第１細管部９７Ａ１の他端は、上方向を向いており、細管側前方延出部９７Ａ２の一端に繋がっている。細管側前方延出部９７Ａ２は、上方向に向かって真っ直ぐに延びており、その他端が第１液側分流管９４Ａを構成する第１液側分流太管９８Ａの一端に接続されている。第１液側分流太管９８Ａは、太管側前方延出部９８Ａ１と、第１太管部９８Ａ２と、を有している。太管側前方延出部９８Ａ１は、上方向に向かって真っ直ぐに延びる部分であり、その他端が第１太管部９８Ａ２の一端に繋がっている。第１太管部９８Ａ２は、後方向、右方向、下方向、後方向の順に延びる部分であり、その他端が第１液側口７４Ａに接続されている。尚、ここでは、第１太管部９８Ａ２が２本の管を接続することによって構成されているが、１本の管で構成してもよい。
【０１０５】
このように、第１液側分流管９４Ａを構成する第１液側分流細管９７Ａ及び第１液側分流太管９８Ａのうち細管側前方延出部９７Ａ２及び太管側前方延出部９８Ａ１が前方延出部を形成している。前方延出部９７Ａ２、９８Ａ１は、第１分流孔９５Ａよりも前方向側に配置されるだけでなく、第１分流孔９５Ａよりも第２側方側（ここでは、左方向側）にも配置されている。また、前方延出部９７Ａ２、９８Ａ１は、分流器本体９２よりも前方向側に形成されている。また、前方延出部９７Ａ２、９８Ａ１は、分流器本体９２よりも第２側方側（ここでは、左方向側）に形成されている。
【０１０６】
そして、ここでは、前方延出部９７Ａ２、９８Ａ１に温度センサ２３が取り付けられている。特に、ここでは、前方延出部９７Ａ２、９８Ａ１のうち、第１液側分流太管９８Ａを構成する太管側前方延出部９８Ａ１に温度センサ２３が取り付けられている。すなわち、前方延出部９７Ａ２、９８Ａ１のうち径が大きい部分に温度センサ２３が取り付けられている。ここで、温度センサ２３は、断熱材（図示せず）でセンサの周囲が覆われた状態で結束バンド等によって前方延出部９７Ａ２、９８Ａ１（ここでは、太管側前方延出部９８Ａ１）に取り付けられる。
【０１０７】
（６）特徴
次に、室外ユニット２の特徴について説明する。
【０１０８】
＜Ａ＞
ここでは、上記のように、室外ユニット２が、ケーシング４０と、ケーシング４０内に配置された室外熱交換器１１（熱交換器）と、ケーシング４０内に配置された分流器９０と、冷媒の温度を検出する温度センサ２３と、を有している。ここで、室外熱交換器１１は、ケーシング４０の前後方向に延びる第１部１１ａを有しており、第１部１１ａの前方向側の端部である第１前端部５０ａ１、５０ｂ１に冷媒の入口又は出口となる複数の液側口７４が上下方向に並んで形成されている。また、分流器９０は、第１前端部５０ａ１、５０ｂ１よりも前方向側において液側口７４に対応する複数の分流孔９５が形成された分流器本体９２と、分流孔９５と液側口７４との間を接続する複数の液側分流管９４と、を有している。このような前提構成において、ここでは、第１液側分流管９４に、分流孔９５のうち第１液側分流管９４Ａが接続された分流孔９５である第１分流孔９５Ａから第１液側口９４Ａに至るまでの途中に、第１分流孔９５Ａよりも前方向側に配置される部分である前方延出部９７Ａ２、９８Ａ１を形成し、温度センサ２３を、前方延出部９７Ａ２、９８Ａ１に取り付けるようにしている。
【０１０９】
これにより、ここでは、第１液側分流管９４Ａの温度センサ２３が取り付けられる部分（前方延出部９７Ａ２、９８Ａ１）が、分流器本体９２の第１分流孔９５Ａよりも前方向側に配置されているため、ケーシング４０の前面側から第１液側分流管９４Ａに温度センサ２３を取り付ける際に、分流器本体９２が邪魔になりにくくなり、温度センサ２３を第１液側分流管９４Ａに取り付ける際の作業性を向上させることができる。
【０１１０】
＜Ｂ＞
また、ここでは、上記のように、前方延出部９７Ａ２、９８Ａ１が、分流器本体９２よりも前方向側に形成されている。
【０１１１】
これにより、ここでは、ケーシング４０の前面側から第１液側分流管９４Ａに温度センサ２３を取り付ける際に、分流器本体９２がさらに邪魔になりにくくなり、温度センサ２３を第１液側分流管９４Ａに取り付ける際の作業性をさらに向上させることができる。
【０１１２】
＜Ｃ＞
また、ここでは、上記のように、第１分流孔９５Ａが、ケーシング４０の平面視において、分流器本体９２の中央を通る中央線Ｃ１によって分流器本体９２を前後に区分した場合の前方向側の部分に形成されている。
【０１１３】
これにより、ここでは、ケーシング４０の前面側から第１液側分流管９４Ａに温度センサ２３を取り付ける際に、分流器本体９２がさらに邪魔になりにくくなり、温度センサ２３を第１液側分流管９４Ａに取り付ける際の作業性をさらに向上させることができる。
【０１１４】
＜Ｄ＞
また、ここでは、上記のように、閉鎖弁１３、１４が、分流器本体９２の左右方向の一方側である第１側方側（ここでは、右側）に配置されており、前方延出部９７Ａ２、９８Ａ１が、分流器本体９２よりも分流器本体９２の左右方向の他方側である第２側方側（ここでは、左側）に配置されている。
【０１１５】
これにより、ここでは、前方延出部９７Ａ２、９８Ａ１を閉鎖弁１３、１４から遠い側に配置することができるため、冷媒連絡管４、５を閉鎖弁１３、１４にロウ付けする際に、ロウ付け部を加熱するための火炎が温度センサ２３まで影響することを抑えることができる。
【０１１６】
＜Ｅ＞
また、ここでは、上記のように、第１分流孔９５Ａが、ケーシング４０の平面視において、分流器本体９２の中央を通る中央線Ｃ１によって分流器本体９２を左右に区分した場合の第２側方側（ここでは、左側）の部分に形成されている。
【０１１７】
これにより、ここでは、冷媒連絡管４、５を閉鎖弁１３、１４にロウ付けする際に、ロウ付け部を加熱するための火炎が温度センサ２３まで影響することをさらに抑えることができる。
【０１１８】
＜Ｆ＞
また、ここでは、上記のように、第１前端部５０ａ１、５０ｂ１の下部が、室外熱交換器１１の下端から熱交高さｈの１／４倍以下の部分である。
【０１１９】
これにより、ここでは、第１前端部５０ａ１、５０ｂ１の下部が室外熱交換器１１の下端に非常に近いため、ケーシング４０の前面側から第１液側分流管９４Ａに温度センサ２３を取り付ける際の作業性が悪くなりやすい傾向にあるが、上記のように、前方延出部９７Ａ２、９８Ａ１の配置を工夫しているため、温度センサ２３を第１液側分流管９４Ａに取り付ける際の作業性を向上させることができる。
【０１２０】
＜Ｇ＞
また、ここでは、上記のように、分流器本体９２が、第１前端部５０ａ１、５０ｂ１の下部と同じ高さ範囲内に配置されている。
【０１２１】
これにより、ここでは、分流器本体９２も室外熱交換器１１の下端に非常に近いため、ケーシング４０の前面側から第１液側分流管９４Ａに温度センサ２３を取り付ける際に、分流器本体９２が邪魔になりやすい傾向にあるが、上記のように、前方延出部９７Ａ２、９８Ａ１の配置を工夫しているため、温度センサ２３を第１液側分流管９４Ａに取り付ける際の作業性を向上させることができる。
【０１２２】
＜Ｈ＞
また、ここでは、上記のように、第１液側口７４Ａが、液側口７４のうち最も下方側に形成された液側口である。
【０１２３】
これにより、ここでは、第１液側口７４Ａが、最も下方側に形成されているため、ケーシング４０の前面側から第１液側分流管９４Ａに温度センサ２３を取り付ける際の作業性が悪くなりやすい傾向にあるが、上記のように、前方延出部９７Ａ２、９８Ａ１の配置を工夫しているため、温度センサ２３を第１液側分流管９４Ａに取り付ける際の作業性を向上させることができる。
【０１２４】
＜Ｉ＞
また、ここでは、上記のように、第１液側分流管９４Ａが、第１液側分流細管９７Ａと、第１液側分流細管９７Ａよりも大径の第１液側分流太管９８Ａと、を有している。ここで、第１液側分流細管９７Ａは、一端が第１分流孔９５Ａに接続されている。第１液側分流太管９８Ａは、一端が第１液側分流細管９７Ａの他端に接続され、かつ、他端が第１液側口７４Ａに接続されている。そして、ここでは、第１液側分流太管９８Ａが、前方延出部９８Ａ１を形成している。
【０１２５】
ここでは、径が大きい第１液側分流太管９８Ａが前方延出部９８Ａ１を形成しているため、温度センサ２３を第１液側分流管９４Ａに取り付ける際の作業性をさらに向上させることができる。
【０１２６】
（７）変形例
＜Ａ＞
上記実施形態では、温度センサ２３が前方延出部９７Ａ２、９８Ａ１のうち径が大きい太管側前方延出部９８Ａ１に取り付けられているが、取り付け作業の安定性や温度センサ２３の保持力を維持できる場合であれば、径が小さい細管側前方延出部９７Ａ２に温度センサ２３を取り付けてもよい。
【０１２７】
＜Ｂ＞
上記実施形態では、分流器９０等がケーシング４０の左側面寄りの部分に配置されているが、右側面寄りの部分に配置されていてもよい、
＜Ｃ＞
上記実施形態では、室外熱交換器１１が２列の熱交換部５０ａ、５０ｂを有しているが、これに限定されるものではない。例えば、室外熱交換器１１は、３列以上の熱交換部を有するものであってもよい。
【０１２８】
＜Ｄ＞
上記実施形態では、室外熱交換器１１は伝熱管として扁平管５２を有しているが、これに限定されるものではない。例えば、室外熱交換器１１は、円管状の伝熱管を有するものであってもよい。
【０１２９】
＜Ｅ＞
上記実施形態では、室外熱交換器１１は、３ヶ所に曲げ部（第２部１１ｂ、第４部１１ｄ、第６部１１ｆ）を有しているが、これに限定されるものではない。例えば、室外熱交換器１１は、曲げ部を１ヶ所に有しており、熱交換部がＬ字状に形成されていてもよい。また、室外熱交換器１１は、曲げ部を２ヶ所に有しており、熱交換部がＵ字状に形成されていてもよい。また、室外熱交換器１１は、曲げ部を４ヶ所以上に有してもよい。
【０１３０】
＜Ｆ＞
上記実施形態では、風上側熱交換部５０ａの第１前端部５０ａ１側及び風下側熱交換部５０ｂの第１前端部５０ｂ１の側の両方に分流器９０の液側分流管９４が接続されているが、これに限定されるものではない。
【０１３１】
例えば、設計によっては、風上側熱交換部５０ａの第１前端部５０ａ１側（第１ヘッダ７０）のみ、又は、風下側熱交換部５０ｂの第１前端部５０ｂ１側（第２ヘッダ８０）のみ、に液側分流管９４が接続されてもよい。
【０１３２】
＜Ｇ＞
上記実施形態で説明した室外熱交換器１１における冷媒の流し方（冷媒の流れるルート）は一例に過ぎず、冷媒のパス取りは適宜設計されればよい。
【０１３３】
例えば、上記実施形態では、第１熱交換パス６０Ａと、それ以外の熱交換パス６０Ｂ〜６０Ｋで冷媒の流し方が異なるが、これに限定されるものではなく、第１熱交換パス６０Ａにも、それ以外の熱交換パス６０Ｂ〜６０Ｋと同様の経路で冷媒が流れるような設計が行われてもよい。つまり、第１熱交換パス６０Ａのパス有効長は、他の熱交換パス６０Ｂ〜６０Ｋのパス有効長と同一であってもよい。
【０１３４】
また、上記実施形態では、空気の流れ方向に並べられた熱交換部５０の、同一段（同一高さ）の伝熱管を冷媒が流れるように冷媒の流れるルートが設計されているが、これに限定されるものではない。例えば、ある熱交換部の伝熱管を流れた冷媒は、同一の熱交換部又は他の熱交換部の異なる段の（異なる高さ位置の）伝熱管を流れるように冷媒の流れるルートが設計されてもよい。
【０１３５】
＜Ｈ＞
上記実施形態では、空気調和装置１を例として説明したが、上記実施形態の特徴が他の種類の冷凍装置に適用されてもよい。
【０１３６】
＜Ｉ＞
上記実施形態では、室外ユニット２は上吹き型の熱交換ユニットであり、室外ユニット２の側面側から空気が吸い込まれ、室外ユニット２の上部から上方に空気が吹き出される。しかし、室外ユニット２は、上吹き型に限定されるものではなく、例えば、横吹き型の熱交換ユニットであってもよい。
【０１３７】
以上、本開示の実施形態を説明したが、請求の範囲に記載された本開示の趣旨及び範囲から逸脱することなく、形態や詳細の多様な変更が可能であることが理解されるであろう。
【産業上の利用可能性】
【０１３８】
本開示は、室外ユニットに対して、広く適用可能である。
【符号の説明】
【０１３９】
２                  室外ユニット
３ａ、３ｂ          室内ユニット
４、５              冷媒連絡管
１１                室外熱交換器（熱交換器）
１１ａ              第１部
１３、１４          閉鎖弁
２３                温度センサ
４０                ケーシング
５０ａ１、５０ｂ１  第１前端部
７４                液側口
７４Ａ              第１液側口
９０                分流器
９２                分流器本体
９４                液側分流管
９４Ａ              第１液側分流管
９５                分流孔
９５                第１分流孔
９７Ａ              第１液側分流細管
９７Ａ２            細管側前方延出部（前方延出部）
９８Ａ              第１液側分流太管
９８Ａ１            太管側前方延出部（前方延出部）
【先行技術文献】
【特許文献】
【０１４０】
【特許文献１】特開２０１０−１６９３１１号公報
【図１】
2019184192.tif 000003
【図２】
2019184192.tif 000004
【図３】
2019184192.tif 000005
【図４】
2019184192.tif 000006
【図５】
2019184192.tif 000007
【図６】
2019184192.tif 000008
【図７】
2019184192.tif 000009
【図８】
2019184192.tif 000010
【図９】
2019184192.tif 000011
【図１０】
2019184192.tif 000012
【図１１】
2019184192.tif 000013
【図１２】
2019184192.tif 000014
【図１３】
2019184192.tif 000015
【図１４】
2019184192.tif 000016
【図１５】
2019184192.tif 000017
【図１６】
2019184192.tif 000018